(57)【要約】【課題】１つの真空管でプッシュプル回路を構成して真空管特性を揃えることを不要とする真空管式プッシュプル回路を提供すること。【解決手段】極性反転部２０が極性反転信号を生成し、比較部３０が比較信号を生成する。スイッチング部７０は、比較信号に応じて、入力信号又は極性反転信号をグリッド４３に選択的に供給し、また、スイッチング部８０は、比較信号に応じて、プレート４１からの信号をトランス５０の一端側又は他端側に選択的に供給する。スイッチング部７０が端子Ａ１を選択する動作とスイッチング部８０が端子Ａ２を選択する動作とが同時に行われ、また、スイッチング部７０が端子Ｂ１を選択する動作とスイッチング部８０が端子Ｂ２を選択する動作とが同時に行われ、１つの真空管４０でプッシュプル動作を行わせることができる。【選択図】  図１
2004247977.tif 000002
【特許請求の範囲】
【請求項１】
プレート、カソードおよびグリッドを備える真空管と、
入力信号の極性を反転した極性反転信号を生成する極性反転部と、
入力信号を所定レベルの電圧値と比較した結果を示す比較信号を生成する比較部と、出力用トランスと、
前記比較信号に応じて、前記入力信号又は前記極性反転信号を前記グリッドに選択的に供給する第１のスイッチング部と、
前記比較信号に応じて、前記プレートからの信号を前記出力用トランスの一端側又は他端側に選択的に供給する第２のスイッチング部と、を備えた真空管式プッシュプル回路。
【請求項２】
請求項１に記載の真空管式プッシュプル回路において、
前記第１のスイッチング部および前記第２のスイッチング部の選択動作は同期がとれていることを特徴とする真空管式プッシュプル回路。
【請求項３】
プレート、カソードおよびグリッドを備える真空管と、
入力信号の極性を反転した極性反転信号を生成する極性反転部と、出力用トランスと、制御信号を出力する発振部と、
前記制御信号に応じて、前記入力信号又は前記極性反転信号を前記グリッドに選択的に供給する第１のスイッチング部と、
前記制御信号に応じて、前記プレートからの信号を前記出力用トランスの一端側又は他端側に選択的に供給する第２のスイッチング部と、を備えた真空管式プッシュプル回路。
【発明の詳細な説明】
【０００１】
【発明の属する技術分野】
本発明は、真空管式のプッシュプル回路に関する。
【０００２】
【従来の技術】
いわゆるプッシュプル回路によって、入力信号を増幅回路は各種提案されている。例えば、逆極性のトランジスタを２個直接に接続してＢ級プッシュプル動作を行う回路等が提案されていた。また、２個の真空管のカソード同士を接続して、  プッシュプル動作を行う回路等も提案されており、これを用いて構成された増幅回路は例えばオーディオ用ハイファイアンプ等に利用されている（例えば、特許文献１参照。）。
【０００３】
【特許文献１】
特開昭６２−１０１１０７号公報（第１−２頁、第１図）
【０００４】
【発明が解決しようとする課題】
しかしながら、このような２個の真空管を使用してプッシュプル動作を正確に行わせるためには、使用する２つの真空管の特性を極めて正確に揃えなければならず、完全に特性の揃うものはないため、２個の真空管を使用してプッシュプル回路を構成する際には非常に厳密さが要求されるといった問題があった。また、最初は略特性が揃っていても経年変化によって特性が揃わなくなるといった問題もあった。
【０００５】
そこで、本発明は、このような従来の課題を解決するためになされたものであり、１つの真空管でプッシュプル回路を構成して真空管特性を揃えることを不要とする真空管式プッシュプル回路を提供することを目的とする。
【０００６】
【課題を解決するための手段】
上記目的を達成するために、本発明は、プレート、カソードおよびグリッドを備える真空管と、
入力信号の極性を反転した極性反転信号を生成する極性反転部と、
入力信号を所定レベルの電圧値と比較した結果を示す比較信号を生成する比較部と、出力用トランスと、
前記比較信号に応じて、前記入力信号又は前記極性反転信号を前記グリッドに選択的に供給する第１のスイッチング部と、
前記比較信号に応じて、前記プレートからの信号を前記出力用トランスの一端側又は他端側に選択的に供給する第２のスイッチング部と、を備えた真空管式プッシュプル回路とした。
【０００７】
また、より具体的には、この真空管式プッシュプル回路において、前記第１のスイッチング部および前記第２のスイッチング部の選択動作は同期がとれているように構成されている。つまり、前記入力信号がグリッドに選択的に供給されている場合には、前記プレートからの信号を前記出力用トランスの一端側に選択的に供給し、一方、前記極性反転信号がグリッドに選択的に供給されている場合には、前記プレートからの信号を前記出力用トランスの他端側に選択的に供給するように構成されている。
【０００８】
さらに本発明の他の態様によれば、プレート、カソードおよびグリッドを備える真空管と、
入力信号の極性を反転した極性反転信号を生成する極性反転部と、出力用トランスと、制御信号を出力する発振部と、
前記制御信号に応じて、前記入力信号又は前記極性反転信号を前記グリッドに選択的に供給する第１のスイッチング部と、
前記制御信号に応じて、前記プレートからの信号を前記出力用トランスの一端側又は他端側に選択的に供給する第２のスイッチング部と、を備えた真空管式プッシュプル回路も提供される。
【０００９】
【発明の実施の形態】
以下、本発明の実施の形態を図面を参照しつつ説明する。
【００１０】
（第１の実施形態）
（構成）
図１は第１の実施形態の真空管式プッシュプル回路の構成図である。入力端子１０から入力された入力信号は、スイッチング部７０のＡ１端子と極性反転部２０と比較部３０とに供給されるように構成されている。極性反転部２０は入力信号の極性を反転した極性反転信号をスイッチング部７０のＢ１端子に供給される。また、比較部３０は例えば０（Ｖ）と入力信号とを比較して入力信号の方が高いレベルである正の信号である場合にはローレベルの信号を出力する一方、入力信号が負の信号である場合にはハイレベルの信号を出力する。
【００１１】
スイッチング部７０は、比較部３０からローレベル信号が出力される場合には、端子Ａ１と真空管４０のグリッド４３とを接続して入力信号をグリッドに供給する一方、比較部３０からハイレベル信号が出力される場合には、端子Ｂ１と真空管４０のグリッド４３とを接続して極性反転信号をグリッドに供給するようにスイッチング動作を行うように構成されている。
【００１２】
また、スイッチング部８０は、比較部３０からローレベル信号が出力される場合には、端子Ａ２と真空管４０のプレート４１とを接続して、プレート４１からの出力信号をトランス５０の下端側に供給する一方、比較部３０からハイレベル信号が出力される場合には、端子Ｂ２と真空管４０のプレート４１とを接続して、プレート４１からの出力信号をトランス５０の上端側に供給するように構成されている。なお、トランス５０はスピーカー６０に接続されていると共に、入力側の適宜の位置には電源電圧Ｖが供給されている。そして、スイッチング部７０とスイッチング８０のスイッチング動作（信号選択動作）は同期が取れており、スイッチング部７０が端子を選択する動作とスイッチング部８０が端子を選択する動作とが同時に行われるようになっている。
【００１３】
真空管４０は、一端が接地されている抵抗４６の他端に接続されたカソード４２から電子を放射させるためのヒータ４５を備えていて、このカソード４２から放射された電子はプレート４１に到達することによってプレート電流が流れて真空管４０による増幅動作が行われる。なお、このプレート４１への到達電子の量はグリッド４３に供給される電圧によって制御される。
【００１４】
（動作）
図２を参照して動作を説明する。図２（ａ）に示すように０（Ｖ）に対して正負となる入力信号が入力されたとすると、図２（ｂ）に示すように、極性反転部２０はこの入力信号の極性を反転した極性反転信号を生成出力する。また、図２（ｃ）に示すように、比較部３０は、入力信号が正の場合にはローレベルの信号を両スイッチング部７０、８０に供給する一方、入力信号が負の場合にはハイレベルの信号を両スイッチング部７０、８０に供給する。
【００１５】
スイッチング部７０は比較部３０からローレベル信号が出力される場合には、端子Ａ１と真空管４０のグリッド４３とを接続して入力信号をグリッドに供給する一方、比較部３０からハイレベル信号が出力される場合には、端子Ｂ１と真空管４０のグリッド４３とを接続して極性反転信号をグリッドに供給するので、結局、入力信号の全波整流波形がグリッド４３に供給されることになる。したがって、グリッド４３への供給信号は図２（ｄ）に示すように、入力信号の全波整流信号に、グリッドのバイアス電圧が印加されたものとなる。
【００１６】
この結果、図２（ｅ）に示すように、真空管４０で増幅された信号がプレートから出力される。そして、スイッチング部８０は、比較部３０からローレベル信号が出力される場合には、端子Ａ２と真空管４０のプレート４１とを接続して、プレート４１からの出力信号をトランス５０の下端側に供給する一方、比較部３０からハイレベル信号が出力される場合には、端子Ｂ２と真空管４０のプレート４１とを接続して、プレート４１からの出力信号をトランス５０の上端側に供給するので、トランス５０からの出力は入力信号がプッシュプルされた、図２（ｆ）のような信号となる。
【００１７】
したがって、第１の実施形態によれば、極性反転部２０が入力信号の極性を反転した極性反転信号を生成し、比較部３０が入力信号を０Ｖ（所定レベルの電圧値）と比較した結果を示す比較信号を生成する。一方、スイッチング部７０は、比較信号に応じて、入力信号又は極性反転信号をグリッド４３に選択的に供給し、また、スイッチング部８０は、比較信号に応じて、プレート４１からの信号をトランス５０の一端（下端）側又は他端（上端）側に選択的に供給する。しかも、スイッチング部７０およびスイッチング部８０の選択動作は同期がとれるように、具体的には、スイッチング部７０が端子Ａ１を選択する動作とスイッチング部８０が端子Ａ２を選択する動作とが同時に行われ、また、スイッチング部７０が端子Ｂ１を選択する動作とスイッチング部８０が端子Ｂ２を選択する動作とが同時に行われる。この結果、１つの真空管４０でプッシュプル動作を行わせることができ、従来のような２つの真空管の特性を揃えることは不要になる。
【００１８】
（第２の実施形態）
（構成）
図３は真空管式プッシュプル回路の第２の実施の形態の構成図である。図１の構成との相違点は、図１の比較部３０の換わりに矩形波発振部９０からの信号を両スイッチング部７０、８０に供給している点のみであり、その他の点には相違点はない。
【００１９】
矩形波発振部９０は、例えば４８ｋＨｚの周波数矩形波（ローレベルとハイレベルとを繰り返す信号）を生成出力する。そして、スイッチング部７０は、矩形波発振部９０からローレベル信号が出力される場合には、端子Ａ１と真空管４０のグリッド４３とを接続して入力信号をグリッドに供給する一方、矩形波発振部９０からハイレベル信号が出力される場合には、端子Ｂ１と真空管４０のグリッド４３とを接続して極性反転信号をグリッドに供給するようにスイッチング動作を行う。
【００２０】
また、スイッチング部８０は、矩形波発振部９０からローレベル信号が出力される場合には、端子Ａ２と真空管４０のプレート４１とを接続して、プレート４１からの出力信号をトランス５０の下端側に供給する一方、矩形波発振部９０からハイレベル信号が出力される場合には、端子Ｂ２と真空管４０のプレート４１とを接続して、プレート４１からの出力信号をトランス５０の上端側に供給するようにスイッチング動作を行う。
【００２１】
（動作）
０（Ｖ）に対して正負となる入力信号が入力されたとすると、極性反転部２０はこの入力信号の極性を反転した極性反転信号を生成出力する。また、矩形波発振部９０は、入力信号にかかわらずローレベルの信号とハイレベルの信号とを交互、且つ、同時に両スイッチング部７０、８０に供給する。
【００２２】
スイッチング部７０は矩形波発振部９０からローレベル信号が出力される場合には、端子Ａ１と真空管４０のグリッド４３とを接続して入力信号をグリッドに供給する一方、矩形波発振部９０からハイレベル信号が出力される場合には、端子Ｂ１と真空管４０のグリッド４３とを接続して極性反転信号をグリッドに供給するので、結局、入力信号の全波整流波形がグリッド４３に供給されることになる。したがって、グリッド４３への供給信号は入力信号の全波整流信号にグリッドのバイアス電圧が印加されたものとなる。この結果、真空管４０で増幅された信号がプレートから出力される。
【００２３】
そして、スイッチング部８０は、矩形波発振部９０からローレベル信号が出力される場合には、端子Ａ２と真空管４０のプレート４１とを接続して、プレート４１からの出力信号をトランス５０の下端側に供給する一方、矩形波発振部９０からハイレベル信号が出力される場合には、端子Ｂ２と真空管４０のプレート４１とを接続して、プレート４１からの出力信号をトランス５０の上端側に供給するので、トランス５０からの出力は入力信号がプッシュプル増幅された信号となる。
【００２４】
したがって、第２の実施形態によれば、極性反転部２０が入力信号の極性を反転した極性反転信号を生成し、矩形波発振部９０は入力信号にかかわらず矩形波信号（制御信号）を所定の周波数で生成出力する。一方、スイッチング部７０は、矩形波信号に応じて、入力信号又は極性反転信号をグリッド４３に選択的に供給し、また、スイッチング部８０は、矩形波信号に応じて、プレート４１からの信号をトランス５０の一端（下端）側又は他端（上端）側に選択的に供給する。しかも、スイッチング部７０が端子Ａ１を選択する動作とスイッチング部８０が端子Ａ２を選択する動作とが同時に行われ、また、スイッチング部７０が端子Ｂ１を選択する動作とスイッチング部８０が端子Ｂ２を選択する動作とが同時に行われる。この結果、１つの真空管４０でプッシュプル動作を行わせることができ、従来のような２つの真空管の特性を揃えることは不要になる。
【００２５】
以上本発明の実施の形態について説明したが、本発明の要旨を逸脱しない範囲内で上記実施形態に種々の変形や変更を施すことが可能となる。また、極性反転部２０や比較部３０等を可能な限りハードウエアで実現することもできるし、その機能を可能な限りＣＰＵ（又はＤＳＰ）が動作プログラムを実行することによって実現することも可能である。また、トランス５０とスピーカーとの間にノイズ除去用のノイズフィルタを挿入した構成としても良い。
【００２６】
【発明の効果】
以上説明してきたように、本発明によれば、１つの真空管でプッシュプル回路を構成して真空管特性を揃えることを不要とする真空管式プッシュプル回路を提供することができるという効果が得られる。
【図面の簡単な説明】
【図１】第１の実施の形態の構成図である。
【図２】動作例の説明図である。
【図３】第２の実施の形態の構成図である。
【符号の説明】
１０  入力端子
２０  極性反転部
３０  比較部
４０  真空管
５０  トランス
６０  スピーカー
７０  スイッチング部
８０  スイッチング部
９０  矩形波発振部
【図１】
2004247977.tif 000003
【図２】
2004247977.tif 000004
【図３】
2004247977.tif 000005